(57)【要約】  中心長手方向軸（６６）を有するハンドル（４４）を備える剃毛かみそりシステム（４０）。剃毛カートリッジ（４２）は、ハンドルに装着されている。剃毛カートリッジは、剃毛面（６０）を画定するガード（５４）及びキャップ（５６）と、ガードとキャップとの間に刃先（５５）を有する少なくとも１つのブレード（５８）と、を有する。剃毛かみそりカートリッジは、剃毛面が中心長手方向軸に対して垂直から７度以内にある中立位置を有する。
2020516411.tif 000002
【特許請求の範囲】
【請求項１】
剃毛かみそりシステム（４０）であって、
中心長手方向軸（６６）を有するハンドルと、
前記ハンドルに装着された剃毛カートリッジ（４２）であって、前記剃毛カートリッジは、剃毛面（６０）を画定するガード（５４）及びキャップ（５６）と、前記ガードと前記キャップとの間に刃先（５５）を有する少なくとも１つのブレード（５８）と、を有する、剃毛カートリッジ（４２）と、を備え、前記剃毛かみそりカートリッジが、前記剃毛面が前記中心長手方向軸に対して垂直から７度以内にある中立位置を有する、剃毛かみそりシステム（４０）。
【請求項２】
前記剃毛かみそりカートリッジ（４２）が、前記中心長手方向軸（６６）と整列した旋回軸（６８）を有する、請求項１に記載の剃毛かみそりシステム（４０）。
【請求項３】
前記剃毛カートリッジ（４２）が、前方旋回位置と後方旋回位置とを有する、請求項１又は２に記載の剃毛かみそりシステム（４０）。
【請求項４】
前記剃毛かみそりカートリッジ（４２）が、最大２５度の最終前方旋回位置を有する、請求項１〜３のいずれか一項に記載の剃毛かみそりシステム（４０）。
【請求項５】
前記剃毛かみそりカートリッジ（４２）が、最大２５度の最終後方旋回位置を有する、請求項１〜４のいずれか一項に記載の剃毛かみそりシステム（４０）。
【請求項６】
前記剃毛面（６０）が、前記ブレード（５８）の前記刃先（５５）から２０ｍｍ未満で前記中心長手方向軸（６６）と交差する、請求項１〜５のいずれか一項に記載の剃毛かみそりシステム（４０）。
【請求項７】
前記剃毛面（６０）が、前記ブレード（５８）の前記刃先（５５）から１０ｍｍ未満で前記中心長手方向軸（６６）と交差する、請求項１〜６のいずれか一項に記載の剃毛かみそりシステム（４０）。
【請求項８】
前記中心長手方向軸線（６６）が、前記旋回軸（６８）から０〜２ｍｍの距離だけ離間している、請求項１〜７のいずれか一項に記載の剃毛かみそりシステム（４０）。
【請求項９】
前記中心長手方向軸線（６６）が、前記少なくとも１つのブレード（５８）を通過する、請求項１〜８のいずれか一項に記載の剃毛かみそりシステム（４０）。
【請求項１０】
前記剃毛面が、最終前方旋回位置において２０度未満で中心軸（６６）と交差する、請求項１〜９のいずれか一項に記載の剃毛かみそりシステム（４０）。
【請求項１１】
前記剃毛面が、最終後方旋回位置において２０度未満で中心軸（６６）と交差する、請求項１〜１０のいずれか一項に記載の剃毛かみそりシステム（４０）。
【請求項１２】
前記中心長手方向軸線（６６）が、前記キャップ（５６）上の前記剃毛面（６０）に接する点と、前記ガード（５４）上の前記剃毛面（６０）に接する点と、の間を通過する、請求項１〜１１のいずれか一項に記載の剃毛かみそりシステム（４０）。
【請求項１３】
前記剃毛かみそりカートリッジ（４２）を前記ハンドル（４４）に取り付けるカプラー（４６）を更に備える、請求項１〜１２のいずれか一項に記載の剃毛かみそりシステム（４０）。
【請求項１４】
前記カプラー（４６）が、前縁部（７２）を備える凹状上面（７０）を有する指パッドを備える、請求項１３に記載の剃毛かみそりシステム（４０）。
【請求項１５】
前記前縁部が、前記ハンドル（４４）の前記中心長手方向軸線（６６）と前記剃毛面との交点から５ｍｍ〜２０ｍｍだけ離間している、請求項１４に記載の剃毛かみそりシステム（４０）。
【発明の詳細な説明】
【技術分野】
【０００１】
本発明は、湿式剃毛安全かみそりに関し、より具体的には、他人の顔を剃毛するために人間工学的に形成されたハンドルに取り付けられた剃毛かみそりカートリッジを有する剃毛かみそりシステムに関する。
【背景技術】
【０００２】
概して、安全かみそりのカートリッジ又はブレードユニットは、カートリッジが取り付けられたハンドルによって、剃毛される皮膚の表面にわたって移動する刃先を有する少なくとも１つの刃を有する。一部の剃毛かみそりには、ハンドルに対して旋回して剃毛中に皮膚の輪郭に沿って移動する、バネ付勢されたカートリッジが備わっている。カートリッジは、ブレードの切れ味が不充分な程度にまで低下した時点で、カートリッジを新しいカートリッジに交換することができるように、ハンドルに着脱可能に装着されてもよく、あるいは、ブレードの切れ味が鈍くなった時点で剃刀全体を廃棄することを想定して、ハンドルに永久的に取り付けられてもよい。
【０００３】
ブレード部材の刃先部分が、かみそりブレード組立体の皮膚係合面（一般にガードと呼ばれる）とキャップとの間で保持されている、かみそりブレード組立体が開示されている。剃毛ストローク中、ガードはブレード部材（複数可）の前方で皮膚に接触し、キャップはブレード部材（複数可）の後方で皮膚に接触する。キャップ及びガードは、いわゆる「剃毛ジオメトリ」、すなわち、剃毛中の皮膚に対する刃の向き及び位置を決定するパラメータを確立する助けとなり得、このパラメータは、剃刀の剃毛性能及び有効性に大きく影響する。キャップは、抵抗を低減し快適性を高めるために、水滲出性の剃毛補助剤を含んでよい。ガードは一般に剛性であってよく、例えば、ブレードの支持を提供するフレーム又はプラットフォーム構造体と一体的に形成される。ガードはまた、より軟質のエラストマー材を含んで、皮膚の引き延ばしを改善させ得る。
【０００４】
個人介護者は、慢性老化、傷害、又は様々な変性疾患によってしばしば引き起こされる精神的及び／又は身体的能力の低下のせいで自身を剃毛することができない個人の世話をする場合が多い。他人を剃毛する仕事は、剃毛されている人を切ってしまうのを回避するために、細心の注意、忍耐、協調、及び空間認識を必要とする。米国では、理髪店はライセンス制であり、多くの場合、他人を剃毛する長い経験を有している。しかしながら、近親者及びプロの介護者は、他人を剃毛するための剃毛技術にそれほど精通していない。更に、理髪店は、通常は西洋かみそりを使用するが、個人介護者又は近親者が適切な訓練を受けることなく西洋かみそりを他人に対して使用しようとする試みは、非常に危険であろう。湿式安全かみそり剃毛システムは、自身に適用するものとして１００年以上にわたって改良されてきた。しかしながら、これらの設計は、他人を剃毛する目的には最適でない。
【発明の概要】
【発明が解決しようとする課題】
【０００５】
したがって、他人の顔を剃毛するための適切な制御及び操作を可能にする人間工学的ハンドルに取り付けられた剃毛かみそりカートリッジが必要とされている。
【課題を解決するための手段】
【０００６】
一態様において、本発明は、概して、中心長手方向軸を有するハンドルを備えた剃毛かみそりシステムを特徴とする。剃毛カートリッジは、ハンドルに装着されている。剃毛カートリッジは、剃毛面を画定するガード及びキャップと、ガードとキャップとの間に刃先を有する少なくとも１つのブレードと、を有する。剃毛かみそりカートリッジは、剃毛面が中心長手方向軸に対して垂直から７度以内にある中立位置を有する。
【０００７】
別の態様では、本発明は、概して、中心長手方向軸を有するハンドルを備えた剃毛かみそりシステムを特徴とする。剃毛カートリッジは、ハンドルに装着されている。剃毛カートリッジは、剃毛面を画定するガード及びキャップと、ガードとキャップとの間に刃先を有する少なくとも１つのブレードと、を有する。ハンドルの中心長手方向軸は、ブレードの刃先から１０ｍｍ未満で剃毛面と交差する。
【図面の簡単な説明】
【０００８】
本発明の他の特徴及び利点、並びに本発明自体は、添付の図面と併せて読むときに、種々の実施形態の以下の説明から、より完全に理解することができる。
【図１Ａ】他人によって剃毛されている人の顔の側面図である。
【図１Ｂ】他人によって剃毛されている人の顔の側面図である。
【図２】Ｔ字形両刃かみそりの断面図である。
【図３】本発明の１つの可能な実施形態による剃毛かみそりシステムの斜視図である。
【図４Ａ】図３の剃毛かみそりシステムを使用して他人によって剃毛されている人の顔の側面図である。
【図４Ｂ】図３の線４Ｂ−４Ｂに概ね沿った、図３の剃毛かみそりシステムの断面図である。
【図５Ａ】中立旋回位置で示されている、図３の剃毛かみそりシステムの剃毛かみそりカートリッジの概略図である。
【図５Ｂ】前方旋回位置で示されている、図３の剃毛かみそりシステムの剃毛かみそりカートリッジの概略図である。
【図５Ｃ】後方旋回位置で示されている、図３の剃毛かみそりシステムの剃毛かみそりカートリッジの概略図である。
【図６Ａ】図３の剃毛かみそりシステムのグリッド上の側面図である。
【図６Ｂ】図３の剃毛かみそりシステムのグリッド上の側面図である。
【発明を実施するための形態】
【０００９】
自分自身を剃毛する場合、かみそりハンドルは、典型的には、下向きのストローク又は上向きストロークの形態のいずれかで、剃毛されている皮膚の表面の位置に対して３０度と平行との間の角度で保持される。この配置は、ユーザーにとって一般的に快適かつ直感的であり、また、鏡の前で剃毛する際に良好な視認性を提供する。手は剃毛表面から良好な距離に保たれている。つまり、剃毛されている領域の反映された視野は、剃毛している人自身の手によって覆い隠されていない。このシナリオは、かみそりが設計され１００年以上にわたって最適化されてきた過程を方向付けている。しかしながら、剃毛かみそりハンドルと剃毛されている人（対象）との間の位置関係は、自己剃毛と比較して非常に異なる。
【００１０】
図１Ａ及び図１Ｂを参照すると、他人によって剃毛されている人の顔の側面図が示されている。剃毛かみそりカートリッジ１０は、長手方向軸１６を有する細長いつかみ部１４を有する剃毛かみそりハンドル１２の端部に取り付けられることができる。剃毛かみそりカートリッジ１０は、剃毛面１８を画定することができる。典型的な自己剃毛モデルは、他人を剃毛する際にはいくつかの問題を生じさせることから、もはや有効ではない。他人を剃毛する場合、剃毛されている個人（すなわち、対象）は、一般に、剃毛を行っている人（すなわち、介護者）が立っている間、座位にあるか、又は横臥姿勢になっている。介護者と対象との相対的な位置は、比較的低い顔及び首の位置を作り出すので、誇張された手首角度「α」によって示されるように、従来のグリップ及びストローク（図１Ａに示されるような）を利用して剃毛かみそりカートリッジ１０を位置付けることは、非常に困難で違和感がある。手がハンドル軸線１６に対して概ね平行となることにより、手首は手に対して略直角の位置となり得る。
【００１１】
図１Ｂに示すように、他のハンドルグリップを使用してもよい。例えば、ハンドル１４は、剃毛されている皮膚に対して概ね垂直であり得るのにより近い、より高いかみそりハンドル角度で、対象の顔に接近してもよい。手首の角度は、より中立な位置を作り出すことができ、これにより、介護者にとってより快適な位置がもたらされ得る。しかしながら、この位置ではまた、皮膚に対するブレードの角度が不十分となり、その結果として剃毛性能（例えば、効率及び安全性）が不十分となる。例えば、剃毛面１８は、剃毛されている皮膚の表面にあまり良好に適合しない。更に、カートリッジ１０が皮膚上に配置されると、カートリッジ１０は、完全に旋回した位置まで時期尚早に旋回する場合がある。したがって、旋回カートリッジの皮膚適合効果及び安全効果は、大幅に減じられる。
【００１２】
また、現在のかみそりハンドルの設計は、対象の位置が相対的に低いため、介護者は、視界及び剃毛される領域へのアクセスを改善するために対象に向かって前かがみにならなければならないという理由により、最適ではない。このシナリオでは、剃毛するのが著しく困難である顔及び首の多くの領域（例えば、顎の下面及び首と顎とが接する領域など）が存在する。身体的又は精神的能力が低下した人を剃毛する場合には、対象の頭部を持ち上げる又は方向を変えるのが不可能な場合が多い。理髪店は通常、最適な身体的設定を達成するために、リクライニング、旋回、及び高さの変更が可能な椅子に対象を座らせることによって、この問題を解決する。これは、家庭又は介護者の施設で人を剃毛する際には実用的ではないことが多い。加えて、介護を受けておりかつ精神的能力の低下した多くの男性は、剃毛プロセス中にじっと座っていることが常に可能であるとは限らない。予測不能な動きは、深刻な安全リスクを呈し、対象を剃毛することを著しくより困難にする。
【００１３】
図２を参照すると、一般的なＴ字形両刃安全かみそり２０の断面図が示されている。キャップ２２及びガード２４は、キャップ２２及びガード２４に接する剃毛面２６を規定することができる。刃先３０を有するブレード２８は、剃毛面２６上に位置付けられ得る。安全かみそり２０は、中心長手方向軸３４を有するハンドル３２を有し得る。剃毛面２６に対する中心長手方向軸の位置及び剃毛面２６は、安全かみそり２０が剃毛ストローク中にどのように皮膚に接近すべきなのかを確立する。例えば、剃毛面２２は、ハンドル３２の中心長手方向軸３４と、約１３５度の夾角「β」で交差し得る。以下でより詳細に説明するように、理論に固執しないが、他人を剃毛する場合（すなわち、第三者の剃毛）、剃毛かみそりの剃毛面と中心長手方向軸との交点は、垂直に近づけるべきであると考えられる。
【００１４】
図３を参照すると、剃毛かみそりシステム４０の斜視図が示されている。剃毛かみそりカートリッジ４２は、ハンドル４４に装着することができる。特定の実施形態では、ハンドル４４は、概ね真っ直ぐであってよい。剃毛かみそりカートリッジ４２は、ハンドル４４に取り外し可能に装着されてもよいし、恒久的に装着されてもよい。例えば、剃毛かみそりカートリッジ４０は、ブレードの切れ味が不十分なレベルまで低下した時点で剃毛かみそりカートリッジ４２を新たな剃毛かみそりカートリッジ４２に交換できるように、ハンドル４４に着脱可能に装着されるか、あるいは、ブレード（複数可）の切れ味が鈍くなった時点でかみそり全体を廃棄することを想定して、ハンドル４４に恒久的に取り付けられてもよい。第三者剃毛の場合、廃棄物除去のコストを低減するために、ハンドル４４とは別に鋭利物容器内に廃棄することができる取り外し可能なカートリッジ４２を有することが有利であり得る。カートリッジ４２は、衛生目的のために剃毛後に毎回廃棄されてもよい。カートリッジ４２は、ユーザーの手を適切な方向に向けるのを容易にするために、指パッド４８を有するカプラー４６に装着されてもよい。指パッド４６は開口部５０を画定してもよい。特定の実施形態では、開口部５０は、カプラー４６を完全に貫通していてもよい。カプラー４６の一端は、カートリッジ４２を取り付けるためのドッキング機構５２（例えば、一対のピン）を有していてもよい。
【００１５】
図４Ａを参照すると、剃毛かみそりシステム４０を使用して他人によって剃毛されている人の顔の側面図が示されている。更に、図４Ｂは、図３の線４Ｂ−４Ｂに概ね沿った、剃毛かみそりシステム４０の断面図を示している。剃毛かみそりシステム４０の剃毛方向は、矢印「Ａ」によって表されている。剃毛かみそりカートリッジ４２は、ガード５４と、キャップ５６と、ガード５４とキャップ５６との間のブレード５８と、を有することができる。ブレード５８は刃先５５を有することができる。剃毛かみそりカートリッジ４２は、剃毛面６０がハンドル４４の中心長手方向軸６６に対して垂直から７度以内にある、より好ましくは５度以内にある、中立位置（例えば、静止位置）を有し得る。例えば、特定の実施形態において、剃毛面６０は、ハンドル４４の中心長手方向軸６６と、約８５度〜約９５度（すなわち、垂直の５度以内）の角度
【００１６】
【数１】
2020516411.tif 000003
で交差し得る。理論に固執しないが、剃毛面６０と剃毛かみそりハンドル４４の中心長手方向軸６６との交点は、改善されたユーザー人間工学及び剃毛されている人の皮膚上への剃毛かみそりカートリッジ４２の適切な位置決めのために、他人を剃毛する目的（すなわち、第三者剃毛）では垂直（すなわち、９０度）に近づけるべきであると考えられる。ハンドル４４の中心長手方向軸６６に対する剃毛面６０の位置は、剃毛かみそりカートリッジ４２が剃毛される皮膚の表面に押し付けられる際に、介護者の手を中立位置及びより直感的な位置にするのを助ける。更に、剃毛面６０と中心長手方向軸６６との相対位置は、剃毛かみそりカートリッジ４２がその全移動範囲にわたって旋回することを可能にし、したがって、剃毛ストローク中に剃毛かみそりカートリッジ４２が皮膚の輪郭に追従するのを容易にする。特定の実施形態において、中央長手方向軸６６は、剃毛かみそりカートリッジ４２の旋回軸６８を通過し得る。
【００１７】
指パッド４８の位置はまた、制御及び応答のより大きな感覚を介護者に与えることができる。例えば、指パッド４８は、ユーザーの指の位置が剃毛面６０の方に向かいかつ剃毛かみそりカートリッジ４２の方向を指し示すのを容易にする。指パッド４８は、剃毛面６０と中心長手方向軸６６との交点から約３ｍｍ〜約２０ｍｍ、好ましくは５ｍｍ〜約１５ｍｍに位置付けられた前縁部７２を備える凹状上面７０を有し得る。指パッド４８は、ハンドル４４の中心長手方向軸６６に対して概ね平行であり、かつ剃毛面６０に対して直角であってよい。したがって、指の底面は、中心長手方向軸線６６に向けられ、かつ剃毛面６０の方に向かっていてよい。
【００１８】
図５Ａ、図５Ｂ、及び図５Ｃを参照すると、剃毛かみそりカートリッジ４２を有する剃毛かみそりシステム４０の概略図が、それぞれ中立位置、前方旋回位置、及び後方旋回位置で示されている。特定の実施形態では、中心長手方向軸６６は、中立位置、前方旋回位置、又は後方旋回位置のいずれかにおいて、キャップ５６上の剃毛面６０に接する点と、ガード５４上の剃毛面６０に接する点と、の間を通過し得る。中心長手方向軸６６は、ブレードの刃先に非常に近接して（例えば、ガードとキャップとの間で）剃毛面６０と交差し得る。例えば、中心長手方向軸６６は、刃先５５から２５ｍｍ未満の水平距離ｄ１で剃毛面６０と交差し得る。特定の実施形態では、中心長手方向軸６６は、刃先５５から約０ｍｍ〜約２０ｍｍで剃毛面６０と交差し得る。剃毛かみそりカートリッジ４２が旋回すると、中心長手方向軸６６が剃毛面６０と交差する位置が変化し得る。例えば、剃毛かみそりカートリッジ４２は、前方旋回位置まで約１８．５度旋回することによって、中心長手方向軸６６が剃毛面６０と交差する位置をキャップの近くに移動させることができる。剃毛かみそりカートリッジ４２が後方旋回位置まで約１８．５度旋回すると、中心長手方向軸６６が剃毛面６０と交差する位置は、キャップ５６の近くに移動し得る（図５Ｃ）。特定の実施形態では、剃毛かみそりカートリッジ４２が前方位置及び後方位置から旋回すると、中心長手方向軸６６と剃毛面６０との交点はキャップ５６とガード５４との間に留まって、ユーザーに改善された制御を与えることができる。剃毛かみそりカートリッジ４２は、中立旋回位置から２５度の最終前方旋回位置を有することができ、より好ましい最終前方旋回位置は、中立旋回位置から２０度以内（すなわち、０〜２０度）である。剃毛かみそりカートリッジ４２は、中立旋回位置から２５度の最終後方旋回位置を有することができ、より好ましい最終後方旋回位置は、中立旋回位置から２０度以内（すなわち、０〜２０度）である。
【００１９】
中心長手方向軸６６は、ブレード５８を通過してもよい。特定の実施形態において、中心長手方向軸６６は、中立位置又は固定位置において、ブレード５８の刃先５５から約０ｍｍ〜約２０ｍｍ、より好ましくは約０ｍｍ〜約１０ｍｍ、更により好ましくは約０ｍｍ〜約２ｍｍの水平距離「ｄ１」に位置付けられ得る。中心長手方向軸６６は、前方旋回位置において、刃先５５から約０ｍｍ〜約２０ｍｍ、より好ましくは約０ｍｍ〜約１０ｍｍ、更により好ましくは約０ｍｍ〜約２ｍｍの距離「ｄ２」に位置付けられ得る。中心長手方向軸６６は、後方旋回位置において、刃先５５から約０ｍｍ〜約２０ｍｍ、より好ましくは約０ｍｍ〜約１０ｍｍ、更により好ましくは約０ｍｍ〜約２ｍｍの距離「ｄ３」に位置付けられ得る。特定の実施形態では、中心長手方向軸６６は旋回軸６８を通過し得る。
【００２０】
全ての剃毛かみそり又は剃毛かみそりハンドルは完全に対称ではないことが理解される。したがって、中心長手方向軸は、任意の形状のかみそりハンドルに対して計算することができる。図６Ａ及び図６Ｂを参照すると、図３の剃毛かみそりシステム４０の側面図がグリッド上に示されている。剃毛かみそりシステム４０の側面輪郭は、写真、正投影コンピュータ支援設計（computer aided designs、ＣＡＤ）から得てもよく、又は剃毛かみそりシステム４０は、グリッド上に走査又はトレースされてもよい。グリッドは、単位が一定間隔及び同じスケールであるＸ軸及びＹ軸を有し得る。例えば、図６Ａは、Ｘ軸及びＹ軸の両方が１０単位毎にグリッド線を有していること示す。座標は、ハンドルの上部輪郭７４及び下部輪郭７６に沿って一定の間隔でプロットされる。ハンドルの上部及び下部輪郭の両方に関して、ハンドル４４とカートリッジ４２との間の第１の接触点８０の遠位端７８から規則的に離間された間隔で、最低でも１０点がプロットされるべきである。例えば、ハンドルの下部輪郭上で座標を取るたびに、対応する点がハンドルの上部輪郭で取られる。Ｍｉｃｒｏｓｏｆｔ  Ｅｘｃｅｌなどのソフトウェアパッケージを使用して、点間の線形傾向線８２をプロットし、中心長手方向軸線６６を画定する。あるいは、最小二乗法を使用して、ハンドルプロファイル座標により「最良適合線」を計算することができる。この最良適合線は、中心長手方向軸を画定する。最小二乗法の計算を以下に示す。
【００２１】
工程１：Ｘ値の平均及びｙ値の平均を計算する。
【００２２】
【数２】
2020516411.tif 000004
工程２：以下の式により、最良適合線の勾配を得る。
【００２３】
【数３】
2020516411.tif 000005
工程３：式を使用して、線のｙ切片を計算する。
【００２４】
【数４】
2020516411.tif 000006
工程４：勾配ｍ及びｙ切片ｂを使用して、線の方程式を形成する。
【００２５】
走査された画像を使用し、より多くの点をプロットすることにより、より正確な読み取り値が得られることが理解される。しかしながら、撮影された画像、及び最低１０点を使用することが許容可能である。したがって、妥当な許容誤差は、傾向線８２に対して許容可能である。
【００２６】
本明細書にて開示された寸法及び値は、列挙された正確な数値に厳密に限定されるものとして理解されるべきではない。その代わりに、特に指示がない限り、このような各寸法は、列挙された値及びその値を囲む機能的に同等な範囲の両方を意味することが意図されている。例えば、「４０ｍｍ」と開示された寸法は、「約４０ｍｍ」を意味するものとする。
【００２７】
相互参照される又は関連する任意の特許又は特許出願、及び本願が優先権又はその利益を主張する任意の特許出願又は特許を含む、本願に引用される全ての文書は、除外又は限定することを明言しない限りにおいて、参照によりその全容が本願に援用される。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような任意の発明を教示、示唆又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【００２８】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１Ａ】
2020516411.tif 000007
【図１Ｂ】
2020516411.tif 000008
【図２】
2020516411.tif 000009
【図３】
2020516411.tif 000010
【図４Ａ】
2020516411.tif 000011
【図４Ｂ】
2020516411.tif 000012
【図５Ａ】
2020516411.tif 000013
【図５Ｂ】
2020516411.tif 000014
【図５Ｃ】
2020516411.tif 000015
【図６Ａ】
2020516411.tif 000016
【図６Ｂ】
2020516411.tif 000017
【国際調査報告】
2020516411.tif 000018
2020516411.tif 000019